(57)【要約】【課題】道路や公園などの平地はもとより傾斜地に対しても適用し得るとともに、外観の良いパイプフェンスを提供する。【解決手段】立設した支柱１間に金具５を介在させて取付けられる左右の枠パイプ８，９と、その左右の枠パイプ８，９の上下に設けられる上下の枠パイプ６，７と、これら上下左右の枠パイプ６〜９内の空間に左右の枠パイプ８，９に平行に且つ所定間隔で設けられる縦パイプ１０とで構成されるパイプフェンス２であって、前記左右の枠パイプ８，９及び縦パイプ１０が、その管端部に連結部材３が設けられ、その連結部材３を上下の枠パイプ６，７の管壁に所定間隔で設けられている開口１１内に遊挿するとともに、上下の枠パイプ６，７に設けられた抜け止め部材４によって抜け止めされて、上下の枠パイプ６，７に連結されてなる。【選択図】　　　　図１
2004084379.tif 000002
【特許請求の範囲】
【請求項１】
立設した支柱間に金具を介在させて取付けられる左右の枠パイプと、その左右の枠パイプの上下に設けられる上下の枠パイプと、これら上下左右の枠パイプ内の空間に左右の枠パイプに平行に且つ所定間隔で設けられる縦パイプとで構成されるパイプフェンスであって、前記左右の枠パイプ及び縦パイプが、その管端部に連結部材が設けられ、その連結部材を上下の枠パイプの管壁に所定間隔で設けられている開口内に遊挿するとともに、上下の枠パイプに設けられた抜け止め部材によって抜け止めされて、上下の枠パイプに連結されてなることを特徴とするパイプフェンス。
【請求項２】
連結部材が、左右の枠パイプ又は縦パイプ内に挿入し得る大きさの棒材であって、非挿入側の外周に抜け止め部材が係合する溝が形成されてなる請求項１に記載のパイプフェンス。
【請求項３】
抜け止め部材が、中央に貫通孔を有する盤状の可撓性材で構成され、外周面に上下の枠パイプの開口の管壁と係合する溝が形成され、貫通孔の内周面に連結部材の溝と係合する凸部が形成されてなる請求項２に記載のパイプフェンス。
【請求項４】
立設した支柱間に金具を介在させて取付けられる上下の枠パイプと、この上下の枠パイプ間に所定間隔で設けられる縦パイプとで構成されるパイプフェンスであって、前記縦パイプが、その管端部に連結部材が設けられ、その連結部材を上下の枠パイプの管壁に所定間隔で設けられている開口内に遊挿するとともに、上下の枠パイプに設けられた抜け止め部材によって抜け止めされて、上下の枠パイプに連結されてなることを特徴とするパイプフェンス。
【請求項５】
連結部材が、縦パイプ内に挿入し得る大きさの棒材であって、非挿入側の外周に抜け止め部材が係合する溝が形成されてなる請求項１に記載のパイプフェンス。
【請求項６】
抜け止め部材が、中央に貫通孔を有する盤状の可撓性材で構成され、外周面に上下の枠パイプの開口の管壁と係合する溝が形成され、貫通孔の内周面に連結部材の溝と係合する凸部が形成されてなる請求項２に記載のパイプフェンス。
【発明の詳細な説明】
【０００１】
【発明の属する技術分野】
本発明は、パイプフェンスに関し、詳細には、道路と歩道の間や車道の中央分離帯などに設置されるガードフェンスはもとより、公園などの境界柵などとしても好適に使用し得るパイプフェンスに関するものである。
【０００２】
【従来の技術及び発明が解決しようとする課題】
道路と歩道の間などに設置されるガードフェンスや公園などの境界柵などとして、従来より使用されているフェンスは、通常、図５に示すように、上下の枠部材３１、３２と左右端の枠部材３３、３４及びその中間に所定間隔で設けられている中間の縦部材３５とは溶接により固定されている。このように固定して製作されるため、平地に適用する場合には、フェンスを予め長方形状に製作しておくことができ、フェンスの施工も迅速にできる。
【０００３】
しかしながら、上記構成のフェンスを傾斜地に適用する場合には、その都度、傾斜地に沿わせた平行四辺形状に製作するか、予め傾斜地に適用できるように傾斜地の勾配を予測して数度刻みで製作するなどの対応が必要となる。しかし、後者の数度刻みで製作しておく場合でも、多用される勾配、殆ど使用されない勾配などの予測が難しく、在庫管理が大変である上に、結局新たに製作することが多く、施工期日が長くなるなどの問題がある。
【０００４】
一方、上下の枠部材と左右端の枠部材及び縦部材との交差部にボルト挿通孔を設け、ボルト・ナットにより連結してフェンスを構成することも考えられるが、この構成では、傾斜地への適用は可能であるものの、施工した場合にボルト・ナットが見え外観が悪い。特に良好な景観が望まれるところへの適用には不向きである。
【０００５】
【発明が解決しようとする課題】
本発明は、上記の問題点を解消するためになしたものであって、その目的は、道路や公園などの平地はもとより傾斜地に対しても適用し得るとともに、外観の良いパイプフェンスを提供するものである。
【０００６】
【課題を解決するための手段】
上記の目的を達成するために、本発明（請求項１）に係るパイプフェンスは、立設した支柱間に金具を介在させて取付けられる左右の枠パイプと、その左右の枠パイプの上下に設けられる上下の枠パイプと、これら上下左右の枠パイプ内の空間に左右の枠パイプに平行に且つ所定間隔で設けられる縦パイプとで構成されるパイプフェンスであって、前記左右の枠パイプ及び縦パイプが、その管端部に連結部材が設けられ、その連結部材を上下の枠パイプの管壁に所定間隔で設けられている開口内に遊挿するとともに、上下の枠パイプに設けられた抜け止め部材によって抜け止めされて、上下の枠パイプに連結されてなるものである。
【０００７】
上記構成では、上下の枠パイプと左右の枠パイプ及び縦パイプとは、左右の枠パイプ及び縦パイプの管端部に設けた連結部材を、上下の枠パイプの管壁に所定間隔で設けられている開口内に遊挿するとともに、上下の枠パイプに設けられた抜け止め部材によって抜け止めされて連結されているので、開口内に遊挿された連結部材の遊びの範囲内で、平地から十数％の勾配の傾斜地に対して適用できるとともに、連結部分にはボルト・ナットなどの突起もなく外観が良い。
【０００８】
また、特に限定するものではないが、上記連結部材は、左右の枠パイプ又は縦パイプ内に挿入し得る大きさの棒材であって、非挿入側の外周に抜け止め部材が係合する溝が形成されたものが望ましい（請求項２）。このような連結部材であれば、溝のところまで上下の枠パイプ内に遊挿する一方で、上下の枠パイプの管端よりリップ溝形鋼のような形材を挿入し、溝内にリップ部を係合させることで抜け止めが図れる。あるいは、中央に貫通孔を有する盤状の可撓性材で構成され、外周面に上下の枠パイプの開口の管壁と係合する溝が形成され、貫通孔の内周面に連結部材の溝と係合する凸部が形成されてなる抜け止め部材（請求項３）を用いても抜け止めが図れる。
【０００９】
また、本発明（請求項４）に係るパイプフェンスは、立設した支柱間に金具を介在させて取付けられる上下の枠パイプと、この上下の枠パイプ間に所定間隔で設けられる縦パイプとで構成されるパイプフェンスであって、前記縦パイプが、その管端部に連結部材が設けられ、その連結部材を上下の枠パイプの管壁に所定間隔で設けられている開口内に遊挿するとともに、上下の枠パイプに設けられた抜け止め部材によって抜け止めされて、上下の枠パイプに連結されてなるものである。
【００１０】
上記構成では、請求項１の構成における左右の枠パイプを左右端の縦パイプとするとともに、上下の枠パイプを立設した支柱間に金具を介在させて取付けるように構成したものであって、このように構成しても、上記請求項１と同様の作用効果が得られる。すなわち、上下の枠パイプと縦パイプとは、縦パイプの管端部に設けた連結部材を、上下の枠パイプの管壁に所定間隔で設けられている開口内に遊挿するとともに、上下の枠パイプに設けられた抜け止め部材によって抜け止めされて連結されているので、開口内に遊挿された連結部材の遊びの範囲内で、平地から十数％の勾配の傾斜地に対して適用できるとともに、連結部分にはボルト・ナットなどの突起もなく外観が良い。
【００１１】
【発明の実施の形態】
以下、本発明の実施形態を図面に基づいて説明する。図１は、本発明（請求項１）に係るパイプフェンスの説明図であって、ａは正面図、ｂはａのＸ部の拡大断面図、ｃはａのＹ部の拡大断面図である。　図において、１は支柱、２はパイプフェンス、３は連結部材、４は抜け止め部材、５は支柱１にパイプフェンス２を取付けるための取付金具である。
【００１２】
支柱１は、丸パイプであって、通常、施工現場において、所定の間隔で地面Ｇに鉛直に立設され、その側面には取付金具５の一方の金具１７が溶接により設けられている。なお、支柱１は、丸パイプを例としたが、支柱としての機能を果たすものであればその形状は特に限定するものではなく、例えば、中実の棒材や角パイプであってもよい。
【００１３】
パイプフェンス２は、上下の枠パイプ６，７、左右の枠パイプ８，９、及びこれら上下左右の枠パイプ６〜９内の空間に左右の枠パイプ８，９に平行に且つ所定間隔で設けられる縦パイプ１０とで構成されている。そして更に、前記左右の枠パイプ８，９及び縦パイプ１０の管端部には連結部材３が設けられ、また、上下の枠パイプ６，７の管壁には所定間隔で一列に開口１１が設けられている。そして、この開口１１内に連結部材３を遊挿するとともに、本例では開口１１との間に抜け止め部材４を設けることによって抜け止めがなされ、左右の枠パイプ８，９及び縦パイプ１０が上下の枠パイプ６，７に連結されている。また、左右の枠パイプ８，９の側面には、取付金具５の他方の金具１８が溶接により設けられている。なお、上下の枠パイプ６，７、左右の枠パイプ８，９及び縦パイプ１０は、いずれもパイプであればよく、丸パイプや角パイプが使用できる。
【００１４】
連結部材３は、合成樹脂あるいは金属などの短尺な棒材であって、軸方向の略中央部に周方向の溝１２が形成されている。この連結部材３は、一端を左右の枠パイプ８，９又は縦パイプ１０の管端部内に差入れられ、他端を上下の枠パイプ６，７の開口１１内に抜け止め部材４を介在せしめて遊挿される。
【００１５】
抜け止め部材４は、中央に貫通孔１３を有する盤状の合成樹脂やゴムなどの可撓性材で製作され、外周面に上下の枠パイプ６，７の開口１１の管壁１４と係合する溝１５が形成され、貫通孔１３の内周面に連結部材３の周方向の溝１２と係合する凸部１６が形成されている。
【００１６】
取付金具５は、本例ではヒンジ構造を例とするもので、支柱１の側面に溶接した金具１７と、左右の枠パイプ８，９の側面に溶接した金具１８と、これら金具１７、１８に設けた貫通孔に通して設けられるピン１９とで構成されている。
【００１７】
上記構成のパイプフェンス２は次のようにして組立てられる。すなわち、左右の枠パイプ８，９の管端部内にこのパイプの大きさに合う連結部材３を、また縦パイプ１０の管端部内にこのパイプの大きさに合う連結部材３をそれぞれ差入れる。一方、上下の枠パイプ６，７の開口１１には、抜け止め部材４を、その抜け止め部材４の溝１５を開口１１の管壁１４に係合させて設ける。この後、左右の枠パイプ８，９及び縦パイプ１０の管端部内に差入れたそれぞれの連結部材３を、上下の枠パイプ６，７に設けた抜け止め部材４の貫通孔１３に差入れることで組立てられる。
【００１８】
上記のように組立てられたパイプフェンス２によれば、開口１１内に遊挿された連結部材３の遊びの範囲内で、平地はもとより、図２に示すように、十数％以内の勾配の傾斜地に対しても適用できる。また、上下の枠パイプ６，７と左右の枠パイプ８，９及び縦パイプ１０との連結部分にはボルト・ナットなどの突起もなく外観が良い。
【００１９】
なお、上記の例では、抜け止め部材４として、上下の枠パイプ６，７の開口１１に個々に設ける場合を例としたが、本発明はこの例に限定されるものではなく、例えば、図３に示すように、連結部材３の溝１２と係合する、スリット状の開口２０を有するリップ溝形鋼２１を上下の枠パイプ６，７の管端より挿入して抜け止めを図るようにしてもよい。また、取付金具５は、ヒンジ構造を例としたが、図２に示すような傾斜地への取付けが可能な構造のものであればよく、適宜の構造のものが適用できる。
【００２０】
図４は、本発明（請求項４）に係るパイプフェンスの説明図であって、ａは正面図、ｂはａのＡ部の拡大断面図、ｃはａのＢ部の拡大断面図である。なお、本例におけるパイプフェンス２２においては、左右の枠パイプ８、９が縦パイプ１０に及び取付金具５がブラケット２３にそれぞれ変わると共に、上下の枠パイプ６，７にブラケット２３を挿入して取付ける構成とする他は、上記図１に示すパイプフェンス２と実質的に同じ構成であり、同じ部分は同一符号をもって示す。
【００２１】
支柱１は、丸パイプであって、通常、施工現場において、所定の間隔で地面Ｇに鉛直に立設され、その上下２箇所にブラケット２３をボルト２５で取付けるための貫通孔２４が設けられている。なお、支柱１は、丸パイプを例としたが、支柱としての機能を果たすものであればその形状は特に限定するものではなく、例えば、中実の棒材や角パイプであってもよい。
【００２２】
パイプフェンス２２は、上下の枠パイプ６，７、及びこれら上下の枠パイプ６，７の間に平行に且つ所定間隔で設けられる縦パイプ１０とで構成されている。この縦パイプ１０の管端部には連結部材３が設けられ、また、上下の枠パイプ６，７の管壁には所定間隔で一列に開口１１が設けられている。そして、この開口１１内に連結部材３を遊挿するとともに、本例では開口１１との間に抜け止め部材４を設けることによって抜け止めがなされ、縦パイプ１０が上下の枠パイプ６，７に連結されている。なお、上下の枠パイプ６，７及び縦パイプ１０は、いずれもパイプであればよく、丸パイプや角パイプが使用できる。
【００２３】
連結部材３は、合成樹脂あるいは金属などの短尺な棒材であって、軸方向の略中央部に周方向の溝１２が形成されている。この連結部材３は、一端を縦パイプ１０の管端部内に差入れられ、他端を上下の枠パイプ６，７の開口１１内に抜け止め部材４を介在せしめて遊挿される。
【００２４】
抜け止め部材４は、中央に貫通孔１３を有する盤状の合成樹脂やゴムなどの可撓性材で製作され、外周面に上下の枠パイプ６，７の開口１１の管壁１４と係合する溝１５が形成され、貫通孔１３の内周面に連結部材３の周方向の溝１２と係合する凸部１６が形成されている。
【００２５】
ブラケット２３は、両側に上下の枠パイプ６，７の管端部への挿入部２６，２７を有し、中央部に両側の挿入部２６，２７より大径で略上下の枠パイプ６，７の外径と同径の厚肉部２８とこの厚肉部２８に突出して支柱１への取付け部２９を有し、更に取付け部２９にはボルト２５に螺合するネジ孔３０が形成されて構成されている。
【００２６】
上記構成のパイプフェンス２２は次のようにして組立てられる。すなわち、縦パイプ１０の管端部内にこのパイプの大きさに合う連結部材３を差入れる。一方、上下の枠パイプ６，７の開口１１には、抜け止め部材４を、その抜け止め部材４の溝１５を開口１１の管壁１４に係合させて設ける。この後、縦パイプ１０の管端部内に差入れた連結部材３を、上下の枠パイプ６，７に設けた抜け止め部材４の貫通孔１３に差入れることで組立てられる。
【００２７】
上記のように組立てられたパイプフェンス２２であっても、開口１１内に遊挿された連結部材３の遊びの範囲内で、図２に示すよう形態で、十数％以内の勾配の傾斜地に対しても適用できる。また、上下の枠パイプ６，７と縦パイプ１０との連結部分にはボルト・ナットなどの突起もなく外観が良い。
【００２８】
なお、上記例のパイプフェンス２２においても、抜け止め部材４に代えて、例えば図３に示すような、連結部材３の溝１２と係合する、スリット状の開口２０を有するリップ溝形鋼２１を用い、このリップ溝形鋼２１を上下の枠パイプ６，７の管端より挿入して抜け止めを図ることもできる。また、ブラケット２３は、図２に示すような傾斜地への取付けが可能な構造のものであればよく、適宜の構造のものが適用できる。
【００２９】
【発明の効果】
以上説明したように、本発明に係るパイプフェンスによれば、道路や公園などの平地はもとより傾斜地に対しても適用し得るとともに、上下の枠パイプと左右の枠パイプ及び縦パイプとの連結部分にはボルト・ナットなどの突起もなく外観が良い。
【図面の簡単な説明】
【図１】本発明に係るパイプフェンスの説明図であって、ａは正面図、ｂはａのＸ部の拡大断面図、ｃはａのＹ部の拡大断面図である。
【図２】本発明に係るパイプフェンスの別の施工形態を示す説明図である。
【図３】本発明に係るパイプフェンスの別の実施形態を示す説明図であって、ａは部分断面図、ｂはａのＺ−Ｚ断面図である。
【図４】本発明に係る別のパイプフェンスの説明図であって、ａは正面図、ｂはａのＡ部の拡大断面図、ｃはａのＢ部の拡大断面図である。
【図５】従来のフェンスの説明図である。
【符号の説明】
１：支柱　　　　　　　　２：パイプフェンス　　　３：連結部材
４：抜け止め部材　　　　５：取付金具　　　　　　６：上の枠パイプ
７：下の枠パイプ　　　　８：左の枠パイプ　　　　９：右の枠パイプ
１０：縦パイプ　　　　　１１：開口　　　　　　　１２：溝
１３：貫通孔　　　　　　１４：管壁　　　　　　　１５：溝
１６：凸部　　　　　　　１７、１８：金具　　　　１９：ピン
２０：スリット状の開口　２１：リップ溝形鋼　　　２２：パイプフェンス
２３：ブラケット　　　　２４：貫通孔　　　　　　２５：ボルト
２６，２７：挿入部　　　２８：厚肉部　　　　　　２９：取付け部
３０：ネジ孔
【図１】
2004084379.tif 000003
【図２】
2004084379.tif 000004
【図３】
2004084379.tif 000005
【図４】
2004084379.tif 000006
【図５】
2004084379.tif 000007